(57)【要約】      （修正有）【課題】ウエハ状の物品を処理する装置において、ウエハとチャックとの間に物理的接触がなくても起こるウエハ帯電を回避する方法を提供する。【解決手段】ウエハ状の物品を処理する装置であって、処理動作中に、所定の直径のウエハ状の物品を保持し回転させるよう適合されたスピンチャックを備える。液体回収体はスピンチャックを囲み、第１の内面を備える。第１の内面は、第１の導電材料からなる。回収体はさらに、第１の導電材料をグランドするための第１の導電経路を備える。【選択図】図１
2015173261.tif 000002
【特許請求の範囲】
【請求項１】
ウエハ状の物品を処理する装置であって、
前記ウエハ状の物品上で実施される処理動作中に、所定の直径のウエハ状の物品を保持し回転させるよう適合されたスピンチャックと、
前記スピンチャックを囲む液体回収体と、
を備え、
前記液体回収体は、第１の内面を備え、前記第１の内面は第１の導電材料からなり、前記回収体はさらに、前記第１の導電材料をグランドに接続するための第１の導電経路を備える、装置。
【請求項２】
請求項１に記載の装置であって、前記液体回収体は、少なくとも２つのレベルを備え、前記スピンチャックは、前記少なくとも２つのレベルのうち選択された１つで、前記スピンチャック上に設置されたウエハを位置決めするために、前記液体回収体に対して垂直に移動可能である、装置。
【請求項３】
請求項１に記載の装置であって、前記スピンチャックに対向する、前記液体回収体の前記第１の内面以外の面は、非導電性プラスチック製である、装置。
【請求項４】
請求項３に記載の装置であって、前記非導電性プラスチックは、ポリテトラフルオロエチレン（ＰＴＦＥ）、パーフルオロアルコキシ（ＰＦＡ）、ポリフェニレンサルファイド（ＰＰＳ）、ポリエーテルエーテルケトン（ＰＥＥＫ）、ポリスチレン／ポリエチルスチレン（ＰＳ／ＰＥＳ）、エチレン−テトラフルオロエチレン共重合体（ＥＴＦＥ）、フッ化ビニリデン（ＰＶＤＦ）、クロロトリフルオロエチレン単独重合体（ＰＣＴＦＥ）、フッ素化エチレンプロピレン（ＦＥＰ）、およびエチレン−クロロトリフルオロエチレン共重合体（ＥＣＴＦＥ）からなる群より選ばれる１つ以上の部材を含む、装置。
【請求項５】
請求項４に記載の装置であって、前記非導電性プラスチックはＰＣＴＦＥを含む、装置。
【請求項６】
請求項１に記載の装置であって、前記液体回収体は内向きのバッフルを備え、前記第１の導電材料は前記内向きバッフルにはめ込まれている、装置。
【請求項７】
請求項２に記載の装置であって、前記液体回収体は、前記少なくとも２つのレベルのうち最も上のレベルに内向きバッフルを備え、前記第１の導電材料は前記内向きバッフルにはめ込まれている、装置。
【請求項８】
請求項１に記載の装置であって、前記第１の導電材料は導電性高分子である、装置。
【請求項９】
請求項１に記載の装置であって、前記第１の導電材料はステンレス鋼である、装置。
【請求項１０】
請求項１に記載の装置であって、前記第１の導電材料は、前記液体回収体の前記第１の内面に周方向に配置された複数の導電素子を備える、装置。
【請求項１１】
請求項１に記載の装置であって、前記スピンチャックは、処理されるウエハ状の物品を支持するために適合かつ位置決めされた複数のピンアセンブリを備え、少なくとも１つの前記ピンアセンブリは、化学的に不活性な材料で形成され、また一端に導電性インレーを含み、前記インレーは、軸受要素を物理的かつ電気的に係合するよう適合された、装置。
【請求項１２】
請求項１１に記載の装置であって、前記軸受要素は導電性ニードル軸受である、装置。
【請求項１３】
ウエハ状の物品を処理する装置で用いられる液体回収体であって、
前記ウエハ状の物品上で実施される処理動作中に、所定の直径のウエハ状の物品を保持し回転させるよう適合されたスピンチャックを囲むように構成され、前記液体回収体は第１の内面を備え、前記第１の内面は第１の導電材料からなり、前記回収体はさらに、前記第１の導電材料をグランドに接続する第１の導電経路を備える、液体回収体。
【請求項１４】
請求項１３に記載の液体回収体であって、さらに、前記液体回収体とスピンチャックとの間の相対的垂直移動によりスピンチャックが位置決めされてよい、少なくとも２つの処理レベルを規定する内部構造を備える、液体回収体。
【請求項１５】
請求項１３に記載の液体回収体であって、前記液体回収体の前記第１の内面以外の内向き面は、非導電性プラスチック製である、液体回収体。
【請求項１６】
請求項１５に記載の液体回収体であって、前記非導電性プラスチックは、ポリテトラフルオロエチレン（ＰＴＦＥ）、パーフルオロアルコキシ（ＰＦＡ）、ポリフェニレンサルファイド（ＰＰＳ）、ポリエーテルエーテルケトン（ＰＥＥＫ）、ポリスチレン／ポリエチルスチレン（ＰＳ／ＰＥＳ）、エチレン−テトラフルオロエチレン共重合体（ＥＴＦＥ）、フッ化ビニリデン（ＰＶＤＦ）、クロロトリフルオロエチレン単独重合体（ＰＣＴＦＥ）、フッ素化エチレンプロピレン（ＦＥＰ）、およびエチレン−クロロトリフルオロエチレン共重合体（ＥＣＴＦＥ）からなる群より選ばれる１つ以上の部材を含む、液体回収体。
【請求項１７】
請求項１６に記載の液体回収体であって、前記非導電性プラスチックはＰＣＴＦＥを含む、液体回収体。
【請求項１８】
請求項１３に記載の液体回収体であって、さらに、内向きのバッフルを備え、前記第１の導電材料は前記内向きバッフルにはめ込まれている、液体回収体。
【請求項１９】
請求項１４に記載の液体回収体であって、さらに、前記少なくとも２つのレベルのうち最も上のレベルに内向きバッフルを備え、前記第１の導電材料は前記内向きバッフルにはめ込まれている、液体回収体。
【請求項２０】
請求項１３に記載の液体回収体であって、前記第１の導電材料は導電性高分子である、液体回収体。
【請求項２１】
請求項１３に記載の液体回収体であって、前記第１の導電材料はステンレス鋼である、液体回収体。
【請求項２２】
請求項１３に記載の液体回収体であって、前記第１の導電材料は、前記第１の内面に周方向に配置された複数の導電素子を備える、液体回収体。
【発明の詳細な説明】
【技術分野】
【０００１】
本発明は、ウエハ状の物品の液体処理用装置に関する。
【背景技術】
【０００２】
半導体ウエハは、集積回路の製造中に様々な湿式処理段階を経る。そのような処理を提供するために、回転可能または回転不能なキャリアと結合するチャックによって、１つ以上の処理流体ノズルに対して、単一のウエハが支持されていることがある。ウエハ支持チャックは、例えば米国特許第４，９０３，７１７号、第５，５１３，６６８号、第６，４３５，２００号、および第６，５３６，４５４号に記載されている。
【０００３】
半導体ウエハ処理は、ウエハ表面上に望まない静電荷の蓄積をもたらす可能性があることが知られている。例えば、米国特許第７，３３５，０９０号は、導電性樹脂で形成された保持ピンであって、順にラジアルメタル軸受に支持されるステンレス製のシャフトに結合された保持ピンを有するスピンチャックについて記載している。共同所有される同時係属中の米国特許出願公開番号第２０１１／０２５４２３６号は、導電性チャックピンのみならず、チャックピンをチャック駆動装置の軸および昇降ユニットと接続する導電路を有するチャックについて記載している。
【０００４】
把持ピンを介してウエハエッジに接する導電路を設けることが、望まないウエハ帯電の問題を解決すると思われたが、本発明者は、ウエハ処理中の様々な段階で起こるようなウエハの帯電が、ウエハとチャックとの間に物理的接触がない場合でも起こりうることを、期せずして発見した。さらに、本発明者は、望まないウエハの帯電は、ウエハと、チャックに隣接するがチャック本体からは離れている静的構造との間でも起こりうることを、偶然発見した。
【発明の概要】
【０００５】
従って、一態様において、本発明はウエハ状の物品を処理する装置に関し、本装置は、ウエハ状の物品上で実施される処理動作中に、所定の直径のウエハ状の物品を保持し回転させるよう適合されたスピンチャックと、スピンチャックを囲む液体回収体とを備える。液体回収体は、第１の導電材料を有する第１の内面を備え、回収体はさらに、第１の導電材料をグランドするための第１の導電経路を備える。
【０００６】
本発明による装置の好ましい実施形態では、液体回収体は少なくとも２つのレベルを備え、少なくとも２つのレベルのうち選択された１つで、スピンチャック上に設置されたウエハを位置決めするために、スピンチャックは液体回収体に対して垂直に移動可能である。
【０００７】
本発明による装置の好ましい実施形態では、スピンチャックに対向する、液体回収体の第１の内面以外の面は、非導電性プラスチック製である。
【０００８】
本発明による装置の好ましい実施形態では、非導電性プラスチックは、ポリテトラフルオロエチレン（ＰＴＦＥ）、パーフルオロアルコキシ（ＰＦＡ）、ポリフェニレンサルファイド（ＰＰＳ）、ポリエーテルエーテルケトン（ＰＥＥＫ）、ポリスチレン／ポリエチルスチレン（ＰＳ／ＰＥＳ）、エチレン−テトラフルオロエチレン共重合体（ＥＴＦＥ）、フッ化ビニリデン（ＰＶＤＦ）、クロロトリフルオロエチレン単独重合体（ＰＣＴＦＥ）、フッ素化エチレンプロピレン（ＦＥＰ）、およびエチレン−クロロトリフルオロエチレン共重合体（ＥＣＴＦＥ）からなる群より選ばれる１つ以上の部材を含む。
【０００９】
本発明による装置の好ましい実施形態では、非導電性プラスチックはＰＣＴＦＥを含む。
【００１０】
本発明による装置の好ましい実施形態では、液体回収体は内向きのバッフルを備え、第１の導電材料は内向きバッフルにはめ込まれている。
【００１１】
本発明による装置の好ましい実施形態では、液体回収体は、少なくとも２つのレベルのうち最も上のレベルに内向きバッフルを備え、第１の導電材料は内向きバッフルにはめ込まれている。
【００１２】
本発明による装置の好ましい実施形態では、第１の導電材料は導電性高分子である。
【００１３】
本発明による装置の好ましい実施形態では、第１の導電材料はステンレス鋼である。
【００１４】
本発明による装置の好ましい実施形態では、第１の導電材料は、液体回収体の第１の内面に周方向に配置された複数の導電素子を備える。
【００１５】
本発明による装置の好ましい実施形態では、スピンチャックは、処理されるウエハ状の物品を支持するように適合かつ位置決めされた複数のピンアセンブリを備え、少なくとも１つのピンアセンブリは、化学的に不活性な材料で形成され、軸受要素を物理的かつ電気的に係合するよう適合された導電性インレーを一端に含む。
【００１６】
本発明による装置の好ましい実施形態では、軸受要素は導電性ニードル軸受である。
【００１７】
別の態様では、本発明は、ウエハ状の物品を処理する装置で用いられる液体回収体に関する。液体回収体は、ウエハ状の物品上で実施される処理動作中に、所定の直径のウエハ状の物品を保持し回転させるよう適合されたスピンチャックを囲むよう構成される。液体回収体は、第１の導電材料を有する第１の内面を備え、回収体はさらに、第１の導電材料をグランドする第１の導電経路を備える。
【００１８】
本発明による液体回収体の好ましい実施形態では、内部構造は少なくとも２つの処理レベルを規定し、スピンチャックはそこで、液体回収体とスピンチャックとの間の相対的垂直移動により位置決めされてよい。
【００１９】
本発明による液体回収体の好ましい実施形態では、液体回収体の第１の内面以外の内向き面は、非導電性プラスチックで形成される。
【００２０】
本発明による液体回収体の好ましい実施形態では、非導電性プラスチックは、ポリテトラフルオロエチレン（ＰＴＦＥ）、パーフルオロアルコキシ（ＰＦＡ）、ポリフェニレンサルファイド（ＰＰＳ）、ポリエーテルエーテルケトン（ＰＥＥＫ）、ポリスチレン／ポリエチルスチレン（ＰＳ／ＰＥＳ）、エチレン−テトラフルオロエチレン共重合体（ＥＴＦＥ）、フッ化ビニリデン（ＰＶＤＦ）、クロロトリフルオロエチレン単独重合体（ＰＣＴＦＥ）、フッ素化エチレンプロピレン（ＦＥＰ）、およびエチレン−クロロトリフルオロエチレン共重合体（ＥＣＴＦＥ）からなる群より選ばれる１種以上の部材を含む。
【００２１】
本発明による液体回収体の好ましい実施形態では、非導電性プラスチックはＰＣＴＦＥを含む。
【００２２】
本発明による液体回収体の好ましい実施形態では、液体回収体はさらに内向きのバッフルを備え、第１の導電材料は内向きバッフルにはめ込まれている。
【００２３】
本発明による液体回収体の好ましい実施形態では、回収体はさらに、少なくとも２つのレベルのうち最も上のレベルに内向きバッフルを備え、第１の導電材料は内向きバッフルにはめ込まれている。
【００２４】
本発明による液体回収体の好ましい実施形態では、第１の導電材料は導電性高分子である。
【００２５】
本発明による液体回収体の好ましい実施形態では、第１の導電材料はステンレス鋼である。
【００２６】
本発明による液体回収体の好ましい実施形態では、第１の導電材料は、第１の内面に周方向に配置された複数の導電素子を備える。
【図面の簡単な説明】
【００２７】
本発明の他の目的、特徴および利点は、添付図面を参照して以下の本発明の好ましい実施形態の詳細を読むことでより明らかになるだろう。
【００２８】
【図１】本発明の第１の実施形態による軸断面の液体回収体の透視図。
【００２９】
【図２】図１で指定した細部ＩＩの拡大図。
【００３０】
【図３】図１に示す液体回収体の上部デフレクタ５０の透視図。
【００３１】
【図４】本発明の第１の実施形態による装置の軸断面図。
【００３２】
【図５】図４で指定した細部Ｖの拡大図。
【発明を実施するための形態】
【００３３】
図１では、液体回収体は４つの主部品、つまり、底部部品１０、頭部部品２０、第１中間部品３０、および第２中間部品４０を備える。図１に示していない液体回収体の半分は、示した部材と概ね左右対称である。
【００３４】
本実施形態では、液体回収体は、共通所有される同時係属中の米国特許出願シリアル番号第１３／８４９，０７２号により詳細に記載されるように、着脱式モジュール部品のアセンブリである。しかし、本実施形態に照らして、様々な部品は互いに着脱できる必要はなく、これら部品の２つ以上は、必要に応じて、一体的に形成されてもよい。
【００３５】
図１の回収体アセンブリはまた、上部デフレクタ５０、中間デフレクタ６０、および下部デフレクタ７０を含み、その構造および機能は以下に述べられる。
【００３６】
当業者には知られているように、半導体ウエハの枚葉式ウェット（湿式）処理に用いられるものなど、現在使用されている図１の回収体アセンブリは、図４に示され、例えば米国特許番号第４，９０３，７１７号および第７，８３７，８０３号に記載されるように、スピンチャックを囲む。そのようなスピンチャックは、所定の直径のウエハを保持するよう設計されている。ウエハの直径としては、３００ｍｍおよび４５０ｍｍが、現在使用されている、また現在開発中である。スピンチャックは、最も上のロードおよびアンロード位置だけでなく、３つの各回収体レベルの間でも回収体に対して移動可能である。回収体アセンブリとスピンチャックとの間の相対移動は、固定された回収体アセンブリに対してスピンチャックを昇降させること、または固定されたスピンチャックに対して回収体アセンブリを昇降させること、またはスピンチャックと回収体アセンブリの両方を、反対方向にまたは同じ方向に異なる速度で、同時に昇降させることのいずれかによって実現されてよい。
【００３７】
そのため、最も下の処理レベルは、スピンチャックの上面が、底部部品１０の径方向内側上縁１５とほぼ同一平面である位置に対応する。その縁から始まる傾斜面は、ウエハの面から振り落とされた液体を回収し、底部部品の排水口に向かわせる働きをする。
【００３８】
デフレクタ７０も、底部部品１０の排水口に向けて液体を下方かつ外向きに方向付け、さらに、排出ガスが回収体アセンブリの外側排出ダクトに引き込まれうる、デフレクタ７０と第２中間部品４０の下対向面との間の隙間を規定する。
【００３９】
中間の処理レベルは、スピンチャックの上面が、第２中間部品４０の径方向内縁４５とほぼ同一平面である位置に対応する。その縁から始まる傾斜面は、同様に、ウエハの面から振り落とされた液体を回収し、第２中間部品４０の排水口に向かわせる働きをする。
【００４０】
この場合、中間デフレクタ６０も、第２中間部品４０の排水口に向けて液体を下方かつ外向きに方向付け、さらに、排出ガスが回収体アセンブリの外側排出ダクトに引き込まれうる、中間デフレクタ６０と第１中間部品３０の下対向面との間の隙間を規定する。
【００４１】
同様に、上部の処理レベルは、スピンチャックの上面が、第１中間部品３０の径方向内縁３５とほぼ同一平面である位置に対応する。その縁から始まる傾斜面は、同様に、ウエハの面から振り落とされた液体を回収し、第１中間部品３０の排水口３２に向かわせる働きをする。
【００４２】
この場合、上部デフレクタ５０も、第１中間部品３０の排水口に向けて液体を下方かつ外向きに方向付け、さらに、排出ガスが回収体アセンブリの外側排出ダクトに引き込まれうる、上部デフレクタ５０と頭部部品２０の下対向面との間の隙間を規定する。
【００４３】
回収体アセンブリの様々な部品、特に半導体ウエハの処理中に用いられるしばしば侵攻性である化学物質に接触する部品は、ポリテトラフルオロエチレン（ＰＴＦＥ）、パーフルオロアルコキシ（ＰＦＡ）、ポリフェニレンサルファイド（ＰＰＳ）、ポリエーテルエーテルケトン（ＰＥＥＫ）、ポリスチレン／ポリエチルスチレン（ＰＳ／ＰＥＳ）、エチレン−テトラフルオロエチレン共重合体（ＥＴＦＥ）、フッ化ビニリデン（ＰＶＤＦ）、クロロトリフルオロエチレン単独重合体（ＰＣＴＦＥ）、フッ素化エチレンプロピレン（ＦＥＰ）、およびエチレン−クロロトリフルオロエチレン共重合体（ＥＣＴＦＥ）からなる群より選ばれる１つ以上の部材を含むプラスチックなどの、化学的に不活性な物質で形成されることが好ましい。
【００４４】
こうした物質は、それらを導電性にする追加の物質の取り込みがない限り、本来は非導電性である。しかし、発明者は、非導電性液体（例えば、イソプロパノールなどの脱イオン水および溶媒）がリンスの目的で回転中のウエハ上に流し込まれたときに、ウエハが帯電するだけでなく、デフレクタなどの内側に面する回収体要素も著しく帯電することを発見した。
【００４５】
特に、本発明者は、ウエハと周囲の回収体要素との間の帯電は、５０００Ｖにもなりうることを突き止めた。そのため、例えば共通に所有される同時係属中の米国特許出願公開番号第２０１１／０２５４２３６号に記載されるように、ウエハがチャックを通じてグランドされたとしても、放電は起こりうる。
【００４６】
本技術分野の当業者は、静電誘導（帯電分離）が２つの非導電材料間の摩擦に基づいて発生したと考えたため、周囲の液体回収体構造からの静電誘導によるウエハ面の帯電は予期しなかった。しかし、２つの非導電材料間の摩擦は、２つの材料が互いに接触することを要求するだろう。液体回収体は、ウエハに接触しないためそれ自体とウエハとの間に摩擦を起こさないが、回収体がそれでも静電誘導によってウエハ面を帯電させ、場合によっては、実際にウエハ上に非常に高い表面帯電を引き起こしうることを発見したのは驚きだった。
【００４７】
連続する各テクノロジノードには、ウエハ本体上に形成されるデバイスおよび構造の上のみならず、処理装置の表面上にも蓄積しうる最大許容帯電に対して、これまでになく厳しい条件が伴うため、半導体ウエハの帯電は高まり、問題となるという懸念がある。例えば、２０１８年に予定されている１８ｎｍのテクノロジノードに対して、ウエハ上に形成される半導体デバイス上の最大許容帯電は０．０８ｎＣに指定されており、静電荷の非常に低いレベルである約８Ｖ／ｃｍに相当する。
【００４８】
従来は、半導体ウエハ上の帯電は、例えば米国特許番号第６，４３２，７２７号に記載されるように、処理チャンバの上に位置するイオン化バー技術を用いて軽減される。しかし、その技術は、設備投資およびメンテナンス費用両方の観点からかなり高価である。
【００４９】
本実施形態では、図２−４に示すように、上部デフレクタ５０は導電素子８１を備えている。導電素子８１は、例えば、図３に示すように、周方向に配置された複数の導電素子もしくは導電リング、またはその両方の形をとってよい。
【００５０】
導電素子８１は、その上面が露出され、デフレクタ５０の上面と同一平面になるように、デフレクタ５０に形成された対応する溝に取り付けられてよい。あるいは、デフレクタ５０の被覆材料の厚さが十分に薄いときは、導電素子８１は、その内縁部のみが露出された状態で、またはそのいずれの部分も露出されない状態で、デフレクタ５０の内部に配置されてよい。
【００５１】
導電素子は、導電性高分子で作られることが好ましいが、ステンレス鋼などのステンレス金属でも作られうる。
【００５２】
図４に示すように、導電素子８１は、１つ以上の導電素子８３で形成される導電経路を通じて、電気的にグランド（例えば、機枠）に接続される。
【００５３】
さらに、図４には、好ましくはウエハの主面が水平にまたは水平の±２０°以内に配置されるように、所定の方向でその上にウエハを保持するスピンチャック１も示される。スピンチャック１は、例えば米国特許番号第４，９０３，７１７号に記載されるように、例えばベルヌーイの定理に従って動作するチャックであってよい。
【００５４】
チャック１は、一連の把持ピン３（本実施形態では計６個だが、図４では４個のみが明らか）を含む。把持ピン３は、ウエハがチャックの横方向に滑り落ちることを防ぐ。本実施形態では、把持ピン３の上部はウエハＷに対して下方の保持も提供するため、チャックはベルヌーイの定理に従って動作する必要はなく、またウエハの下にガスクッションを供給するよう適合される必要がない。特に、共通に所有される同時係属中の米国特許出願公開番号第２０１１／０２５４２３６号により詳細に記載されるように、各把持ピン３は、通常円筒形のピンベースの回転軸に対してオフセットする軸に沿って、円筒形ピンベースから垂直に伸びる最も上の把持部を備える。さらに、以下に詳細が説明されるが、上部把持部はそれぞれ、ウエハの周縁を収容するよう設計された横型凹部または切り出し部を備える。
【００５５】
図５に示すように、把持ピン３は、チャック１の基体９に取り付けられるチャックカバー５に形成された穴を通って、上向きに突き出ている。
【００５６】
把持ピン３は、チャック１と同軸上に回転し、同時に全ての把持ピン３と噛み合い係合するリングギア７によって、それらの円柱軸を中心に結合して回転する。そのため偏心把持部は、ウエハが固定される径方向内側閉位置から、ウエハが剥離される径方向外側開位置に一斉に移動する。把持ピン３は、中心軸の周りを回動するために取り付けられた基部から突き出た、ウエハに接する偏心最上部を備える。特に、リングギア７は、チャック上部体９の下面を中心とし、その外周ギア歯によって各ピン３の基部上に形成されたギア歯と同時に係合する。ピン３は、スピンチャック１の外縁の周りに均等に分配され、少なくとも３つ（好ましくは６つ）のそのようなピン３が設けられる。
【００５７】
所定のチャック１は、特定の直径のウエハを保持するように設計されている。そのためピン３の把持面は、それらの径方向内側閉位置にあるときは、その直径の円を描く。現在商業生産されているウエハ用のチャックは、２００ｍｍまたは３００ｍｍのウエハを保持するよう設計されているが、４５０ｍｍのウエハが次世代となるだろう。
【００５８】
図５に示すように、チャック基体９の上面とカバー５の下面との間に内部隙間が設けられるように、チャック１のカバー５は、基体９の外縁の外周に環状リブ５−１によって固定される。
【００５９】
本実施形態の内部隙間は、リングギア７および、以下に詳細に述べる追加部品を収容する。チャックがベルヌーイチャックとして具現化された場合、共同所有される同時係属中の米国特許出願公開番号第２０１１／０２５４２３６号に記載されるように、この内部隙間は、カバー５に設けられた開口の配列に供給するガス分配チャンバとして追加的に機能しうる。
【００６０】
図５に示すように、各ピンアセンブリ３は、ピンアセンブリ３の基体を構成する歯車３−１から伸びたシャフトを含む。シャフトは、カバー５の穴に回転可能に受け入れられ、上記のようにシャフトの回転軸に対して偏心的に配置された把持ピンを保つ。各ピンアセンブリ３は、ニードル軸受３−３および結合された螺旋ばね３−５によって、カバー５に向かって上向きに付勢され、基体９の外側上向きに伸びた周辺端部の中に形成されたくぼみの中にそれぞれ配置される。
【００６１】
ピンアセンブリ３のシャフトをリングギア７を用いて回転させることで、チャック１の回転軸からの把持ピンの半径距離は変わりうる。偏心的に配置されたピンを回転させるためにリングギアおよびチャック体の相対移動を提供する機構は、例えば米国特許番号第４，９０３，７１７号および第５，５１３，６６８号に記載されるように、知られたものである。
【００６２】
共同所有される同時係属中の米国特許出願公開番号第２０１１／０２５４２３６号に記載される装置に従って、導電ピンアセンブリを通して、またはチャック内に確立された導電路に沿って静電荷を消散するため、１つ以上のピンアセンブリ３は、静電気散逸性または導電性の材料（導電性プラスチックなど）で形成される。あるいは、ステンレス鋼などで作られた導電性インレー３−７は、ピンアセンブリ３のメインシャフトの盲孔内に取り付けられ、導電ニードル軸受３−３と接するピンアセンブリの底に露出する。
【００６３】
放電経路は、金属ばね３−５から基体９に取り付けられた導電板９−１および９−３に続き、最終的には地面に続く。
【００６４】
従来は絶縁材で形成されるチャック体のカバー５も、カバーとウエハが接触しないにもかかわらず、また本実施形態ではウエハから把持ピンへのまたは把持ピンを通る導電路が提供されるにもかかわらず、ウエハ上に静電荷の蓄積を引き起こしうる。そのため、本実施形態のカバー５は、ウエハに対向する導電材料を含むように作られており、導電材料から地面へ向かう導電経路が設けられる。
【００６５】
そのため、再び図５を参照すると、チャックカバー５（または、導電材で作られたそのカバー部分）からカバー５の下面に取り付けられた上部ばねシート５−３まで伸び、螺旋ばね５−５および導電性ストリップ９−３に取り付けられた下部ばねシート５−７を介して続く、別の導電経路が設けられる。この経路は、前述の経路のために上に記載したものと同じである。図５では、各ばね５−５が、リングギア７に形成されたそれぞれの開口を通ることがさらに注目されるだろう。言うまでもなく、第１および第２の導電経路に含まれる前述の各部品は、それ自体が全体または一部において、問題になっている経路を確立するのに十分な導電性である。
【００６６】
上部および下部ばねシート５−３および５−７は、複数のばね５−５を収容するように、必要なら、例えばチャックの回転軸と同軸に配置されるリングまたはリングの複数のセグメントという形をとってよい。
【００６７】
従って、チャック１は、ばねシート５−３、ばね５−５、ばねシート５−７、および導電性ストリップ９−３を通るだけでなく、任意に１つ以上のピンアセンブリ３からニードル軸受３−３、螺旋ばね３−５、ばねシート９−１、および導電性ストリップ９−３を通る、少なくとも１つの追加の導電経路を任意に提供する。上記の各経路は、その後例えばチャックロータに導かれ、そして例えば結合されたツールの骨組または別の適したグランドに電気的に接続することで、電気的な接地に至ってよい。
【００６８】
十分な導電性質を有する比較的導電性のプラスチック材は、金属要素に加えて、または金属要素の代わりに、前述の電気経路を形成するために用いられてよいことが理解されるだろう。例えば、適した導電性プラスチック材は、例えば、ＳＩＭＯＮＡ  ＰＶＤＦ−ＥＬの商品名で市販され、試験方法ＤＩＮ  ＩＥＣ  ６００９３によって≦１０６ｏｈｍ*ｃｍおよび≦１０６ｏｈｍの体積および表面抵抗率をそれぞれ示すと報告されている、導電性炭素を含有するポリフッ化ビニリデンを含む。その他の比較的導電性のプラスチックは、例えば、Ｆｌｕｏｎ  ＬＭ−ＥＴＦＥ  ＡＨ−３０００の商品名で市販されている炭素入りエチレン−テトラフルオロエチレン共重合体、および、例えば、ＶＥＳＰＥＬ  ＣＲ−６１１０の商品名でデュポン社から市販されている炭素繊維入りパーフルオロアルコキシを含む。炭素繊維入りパーフルオロアルコキシは、炭素繊維シートおよび高分子層の複合物を含み、層方向に約１０-1ｏｈｍ*ｃｍおよび１０-10ｏｈｍの体積および表面抵抗率をそれぞれ示し、層に垂直に約１００ｏｈｍ*ｃｍおよび１０１ｏｈｍの体積および表面抵抗率をそれぞれ示すと考えられている。
【００６９】
本発明は、その様々な好ましい実施形態と関連して説明されてきたが、これらの実施形態は、単に発明を例示するために提供されたのであり、添付の特許請求の範囲の真の範囲および精神によって与えられる保護の範囲を制限するための理由付けに用いてはならないことは理解されよう。
【図１】
2015173261.tif 000003
【図２】
2015173261.tif 000004
【図３】
2015173261.tif 000005
【図４】
2015173261.tif 000006
【図５】
2015173261.tif 000007
【外国語明細書】
2015173261000001.pdf